(57)【要約】【課題】  画像を異なるサイズのフィルムに縮小する場合でも、付帯情報を的確な位置と大きさで出力する。【解決手段】  付帯情報である被検者名の擬似イメージをコンピュータのメモリに作成し、テンプレートに指定されているフォント名とフォントサイズに従う（Ｓ１０１）。被検者名を配置する場所の領域を判断し（ステップＳ１０２、Ｓ１０４）、実施例のように領域４に配置する場合にはＳ１０７に進み、付帯情報の描画原点を領域４の右下とする。次にＳ１０８に進み、フィルムの擬似イメージを作成し、前の処理で判断した原点を基に画像に付帯情報を合成して表示する。【選択図】図４
2005160799.tif 000002
【特許請求の範囲】
【請求項１】
画像に付帯情報を付して出力する場合において、前記画像の全表示領域を複数の矩形状の領域に分割し、該分割した領域ごとに原点を定め、所定の出力パターンを前記原点を基準に配置し、前記画像の変倍に拘らず、前記所定の出力パターンを基に前記画像に前記付帯情報を合成して出力することを特徴とする付帯情報出力方法。
【請求項２】
前記所定の出力パターンは、配置すべき領域、配置すべき前記原点からの位置、前記付帯情報の出力の大きさの情報を有することを特徴とする請求項１に記載の付帯情報出力方法。
【請求項３】
前記所定の出力パターンはテンプレートデータとして記憶しておくことを特徴とする請求項２に記載の付帯情報出力方法。
【請求項４】
前記分割した領域ごとの前記原点は、前記全表示領域の中心から最も離れた位置の前記領域の頂点とすることを特徴とする請求項１に記載の付帯情報出力方法。
【請求項５】
前記全表示領域の中心から最も離れた位置の前記領域の頂点が２つ存在する場合の前記領域の原点は、これらの頂点の中心とすることを特徴とする請求項４に記載の付帯情報出力方法。
【請求項６】
前記全表示領域の中心から最も離れた位置の前記領域の頂点が３つ以上存在する場合の前記領域の原点は、これらの頂点の重心とすることを特徴とする請求項４に記載の付帯情報出力方法。
【請求項７】
画像に付帯情報を付して出力する付帯情報出力装置において、前記画像の全表示領域を複数の矩形状の領域に分割する手段と、該分割した領域ごとに原点を定める手段と、所定の出力パターンを前記原点を基準に配置し、前記画像の変倍に拘らず、前記所定の出力パターンを基に前記画像に前記付帯情報を合成して出力する出力手段とを備えたことを特徴とする付帯情報出力装置。
【請求項８】
請求項１〜６の何れか１つの付帯情報出力方法をプログラムとして記録した記録媒体。
【発明の詳細な説明】
【技術分野】
【０００１】
本発明は、Ｘ線撮影システムの撮影画像をフィルム等に出力する際の付帯情報出力方法及び出力装置に関するものである。
【背景技術】
【０００２】
近年、受信したＸ線の量に応じて電荷に変換する素子を平面的に配置し、Ｘ線をこれらの素子からデジタル値として取り込み、平面画像を形成する放射線デジタル撮影システムが実現されている。このデジタル撮影システムはＸ線画像をデジタル値にすることによって、Ｘ線画像をコンピュータ上で処理、編集も可能にする利点がある。
【０００３】
その具体例として、画像を拡大・縮小して表示又は印刷が容易であることが挙げられ、これによって表示装置又はフィルム等の印刷媒体の大きさに合わせて表示や印刷ができるようになり、データの閲覧性が向上する。
【０００４】
また他の具体例としては、特許文献１〜５のようにＸ線画像をデジタルで扱うことによって、画像をフィルムに印刷する際に、被検者の名前や生年月日の付帯情報も同時に印刷することが可能になることが挙げられる。
【０００５】
付帯情報の実際の使い方としては、病院毎にテンプレートを用意して、印刷するフィルムの大きさに合致するように自動的に配置する方法が考えられている。例えば図１０に示すように、Ｘ線画像の印刷を制御するコンピュータの不揮発性メモリ内に、印刷対象フィルムの横サイズを１２ｃｍ、縦サイズを１６ｃｍ、原点からの横方向位置を８ｃｍ、原点からの縦方向の位置を１５ｃｍ、データ種別を被検者名、フォント名をゴシック、フォントサイズを２４ポイントとしてテンプレートを記憶しておくものとする。
【０００６】
【特許文献１】特開平８−３１７９０８号報
【特許文献２】特許第２９９９１６６号報
【特許文献３】特許第３０７９６６９号報
【特許文献４】特開２００２−３３０２８０号報
【特許文献５】特開平８−３１７９０８号報
【発明の開示】
【発明が解決しようとする課題】
【０００７】
このように記憶された付帯情報のテンプレートを基に、被検者毎のフィルムに被検者名を印刷すると、この付帯情報の配置の原点はフィルムの左上隅となる。
【０００８】
印刷するフィルムの大きさを１／２とすると、印刷する画像の位置、大きさと、付帯情報の位置と大きさも１／２になることが普通である。しかし、この方法で縮尺すると、文字列が読めないほど潰れてしまうか、或いはフィルムに相当近付かないと文字を認識できないため、被検者とフィルムの対応付けを間違えるという重大な過失を招く虞れがある。
【０００９】
これを解決する方法として、付帯情報の大きさは同じにして、画像の原点からの距離とサイズ、付帯情報の原点からの距離を１／２にする方法も考えられる。この方法では、フィルムの原点に近接するように配した付帯情報は、フィルムのサイズを変更しても正常に表示される。しかし、フィルム原点から離れた位置、例えば右下に配した場合では、付帯情報の配置を設計した場合と同じフィルムサイズ以外では、正常に表示されない場合がある。
【００１０】
例えば、図１１（ａ）に示す大きさのフィルムを想定して、付帯情報の配置を設計した場合を考えると、（ｂ）に示すように１／２サイズの小さなフィルムの場合は、原点からの１／２の距離である横方向４ｃｍ、縦方向７．５ｃｍのように配置する。そのため、付帯情報の一部がフィルムの外に位置することになるため、被検者名が判別不能となる問題点がある。
【００１１】
本発明の目的は、上述の問題点を解消し、画像の大きさの倍率を変えても、付帯すべき付帯情報の大きさを、画像の倍率通りに変化することなく見易い大きさで所望の位置に出力する付帯情報出力方法及び出力装置を提供することにある。
【課題を解決するための手段】
【００１２】
上記目的を達成するための本発明に係る付帯情報出力方法は、画像に付帯情報を付して出力する場合において、前記画像の全表示領域を複数の矩形状の領域に分割し、該分割した領域ごとに原点を定め、所定の出力パターンを前記原点を基準に配置し、前記画像の変倍に拘らず、前記所定の出力パターンを基に前記画像に前記付帯情報を合成して出力することを特徴とする。
【００１３】
また、本発明に係る付帯情報出力装置は、画像に付帯情報を付して出力する付帯情報出力装置において、前記画像の全表示領域を複数の矩形状の領域に分割する手段と、該分割した領域ごとに原点を定める手段と、所定の出力パターンを前記原点を基準に配置し、前記画像の変倍に拘らず、前記所定の出力パターンを基に前記画像に前記付帯情報を合成して出力する出力手段とを備えたことを特徴とする。
【発明の効果】
【００１４】
本発明に係る付帯情報出力方法及び出力装置によれば、種々な大きさの画像を表示装置又は印刷媒体に表示する場合に、付帯情報が見易いように合成され、被検者の名前等も正確に読み取れるようになり、被検者を間違えることなく診断や治療を的確に行うことができる。
【発明を実施するための最良の形態】
【００１５】
本発明を図示の実施例に基づいて詳細に説明する。
【実施例１】
【００１６】
図１は本実施例１で使用するシステムの構成図を示し、コンピュータ１１内には、不揮発性記憶装置から成るハードディスク１２、ＣＰＵ（中央演算装置）１３、揮発性記憶装置から成るメモリ１４、外部機器とのデータを送受信するＩ／Ｏ部１５が内蔵されており、ハードディスク１２はＣＰＵ１３、メモリ１４、Ｉ／Ｏ部１５と接続され、ＣＰＵ１３はＩ／Ｏ部１５と接続されている。
【００１７】
また、Ｉ／Ｏ部１５には被検者のデータ等を入力する外部のキーボード１６、Ｘ線画像データを表示するためのディスプレイ１７、印刷するためのプリンタ１８、撮影したＸ線画像が保存されたＭＯ（光磁気ディスク）を読み取るためのＭＯドライブ１９が接続されている。
【００１８】
このシステムにおいて、ハードディスク１２に保存したＸ線画像を印刷する手順は、コンピュータ１１に搭載された印刷用ソフトウェアプログラムによって実現される。このソフトウェアでは、最初にＸ線画像を印刷するフィルムの表示領域を複数の直線により擬似的に矩形状の複数の領域に分割し付番する。また、分割されたそれぞれの領域の原点は、フィルムの中心から最も離れた領域中の頂点とする。
【００１９】
図２はフィルムを４分割し、左上から右上、左下から右下方向に付番する場合の説明図である。この場合には、領域１の左上隅がフィルムの中心から最も離れた頂点であり、これを領域１の原点とする。領域２については、右上隅がフィルムの中心から離れた頂点であるので、これを原点とする。同様に、領域３については左下隅を原点とし、領域４では右下隅を原点とする。
【００２０】
図３はこのように擬似的に領域分割し原点を決めた場合に、被検者名を印刷するためのテンプレートデータ例を示している。領域番号は分割した領域に付した番号であり、横位置は表示するデータのその領域の横方向の位置を表し、原点から右方向を＋（プラス）領域とする。縦位置は表示するデータのその領域の縦方向の位置を表し、原点から下方向を＋（プラス）領域とする。更に、データ種別は表示するデータの種類を表し、例えば被検者名の場合は名前を被検者毎に変えて印刷することにする。フォント名、フォントサイズは、表示データの文字の種類と大きさを表している。
【００２１】
図４はこのテンプレートデータを用いて、例えば被検者名「加納太郎」を付帯情報として、フィルムに印字する場合のフローチャート図である。なお本実施例では、付帯情報のテンプレートデータはフィルムを印刷するコンピュータ１１のハードディスク１２に記憶されており、被検者名はフィルムに印刷する直前に、オペレータがキーボード１６から入力するものとする。
【００２２】
先ず、被検者の名前「加納太郎」の擬似イメージをコンピュータのメモリ１４に作成する。このとき、テンプレートに指定されているフォント名とフォントサイズに従う（ステップＳ１０１）。
【００２３】
次に、この被検者名を配置する場所を領域１にするか、領域１以外にするかを判断する（ステップＳ１０２）。もし、領域１に配置する場合にはステップＳ１０３に進む。本実施例の場合は、領域４に配置する被検者名なのでステップＳ１０４に進む。
【００２４】
次に、付帯情報の領域番号が２、３、４のどれであるかを判断する（ステップＳ１０４）。領域番号が２の場合にはステップＳ１０５に進み、３の場合にはステップＳ１０６に進み、４の場合にはステップＳ１０７に進む。本実施例では、印刷する付帯情報は領域４に配置するためステップＳ１０７に進む。
【００２５】
ステップＳ１０７では、付帯情報の描画原点を領域４の右下とする。付帯情報を配置する領域番号が１の場合には、描画原点を左上とし（ステップＳ１０３）、領域番号が２の場合には描画原点を右上とし（ステップＳ１０５）、領域番号が３の場合には、描画原点を左下とする（ステップＳ１０６）。ステップＳ１０３、Ｓ１０５〜ステップＳ１０７における処理が済むとステップＳ１０８に進む。
【００２６】
ステップＳ１０８ではフィルムの擬似イメージを作成し、前の処理（ステップＳ１０３、Ｓ１０５〜Ｓ１０７）で判断した原点を基に付帯情報を配する。具体的には、メモリ１４にフィルム全体の擬似イメージを作成し、ハードディスク１２に保存されているＸ線画像をメモリ１４の擬似イメージに埋め込む。更に、領域４の右下の原点を基準に、ステップＳ１０１で作成した被検者名「加納太郎」の擬似イメージを、横方向−４ｃｍ、縦方向−１ｃｍの位置に埋め込み処理を終了する。ただし本実施例では、被検者名の擬似イメージを矩形状として扱い、その左上の点を付帯情報の位置とする。
【００２７】
実際のシステムでは、メモリ１４上に擬似イメージを作成するだけでなく、この擬似イメージをディスプレイ１７に表示するか、又はプリンタ１８に送信するなどして、操作者がイメージを確認できる状態にする必要がある。
【００２８】
図５は上述した付帯情報を埋め込んだフィルム擬似イメージを示し、本実施例の前提として、被検者名の付帯情報をゴシック２４ポイントで表示すると、それを囲む矩形が高さ１ｃｍ、幅４ｃｍになるとする。
【００２９】
図５（ａ）に示すように、縦１６ｃｍ×横１２ｃｍのフィルムにおいて、領域４の右下を原点として、被検者名付帯情報の矩形の左上隅が、縦方向で−１ｃｍ、横方向で−４ｃｍに配置されたことによって、付帯情報が正常に表示される。
【００３０】
また、（ｂ）に示す縦８ｃｍ×横６ｃｍのフィルムにおいて、領域４の右下を原点として、被検者名の付帯情報の矩形の左上隅が、縦方向で−１ｃｍ、横方向で−４ｃｍに配置されるので、付帯情報が画像に合成されてフィルム内に正常に表示される。
【００３１】
実施例１では、印刷するフィルムを擬似的に４分割したが、フィルムの四隅に付帯情報を配置する場合に、フィルムサイズに依存しない配置を実現できるので有効である。しかし、フィルムの中ほどに付帯情報を配置する場合には、この方法は不適である。
【００３２】
つまり、図６に示すようにフィルムを擬似的に４分割し、これに基づいて、部位の左右の別を表示するための付帯情報テンプレートデータを用い、このテンプレートデータとして「右」を表す「Ｒ」を適用し、図７（ａ）に示す縦１５ｃｍ×横１２ｃｍのフィルムの右端に配する場合には、意図した通りの位置に「Ｒ」が配置される。しかし、（ｂ）に示す縦７．５ｃｍ×横６ｃｍのフィルムに適用すると、フィルムの右端ではあるものの縦方向の中心位置には印刷がなされない。
【実施例２】
【００３３】
これを解決するには、実施例２として図８に示すようにフィルムの領域を６分割する付帯情報テンプレートデータとし、フィルムの領域分割を図９に示すように６分割することが有効である。ただし、この場合には同じ領域４内にフィルムの中心から最も遠い頂点が２つ存在するので、これらの２つの頂点の中心を原点として採用するとよい。
【００３４】
図９（ａ）、（ｂ）においては、双方のフィルム共に領域４の原点から横方向に−１．５ｃｍ、縦方向に−０．５ｃｍの位置に配置することによって、フィルムの右端の縦方向の中心付近に付帯情報を表示できる。
【００３５】
この領域の分割は他の個数であってもよいが、例えば９分割した場合には、中心の領域に関してはフィルムの中心からその領域の全ての頂点が同じ距離となる。この場合は、原点をその領域の中心である重心とすればよい。
【００３６】
このようにすることで、付帯情報をフィルムの中心に配置したい場合に、フィルムサイズを変更して印刷しても、付帯情報のフィルムの中心からの位置が変わることがない。
【産業上の利用可能性】
【００３７】
上記の実施例では、付帯情報をフィルムに印刷することを例に説明したが、出力すべき媒体がフィルム以外であってもよい。更に、コンピュータに接続されたディスプレイに画像と付帯情報を表示する場合においても、同様な効果が得られる。
【図面の簡単な説明】
【００３８】
【図１】実施例１の構成図である。
【図２】フィルムの領域を擬似的に分割する場合の説明図である。
【図３】付帯情報テンプレートデータの説明図である。
【図４】記憶されたデータを表示する動作フローチャート図である。
【図５】大きさが異なるフィルムに印刷したＸ線画像と付帯情報の説明図である。
【図６】領域を４つに分割する場合の付帯情報テンプレートデータの説明図である。
【図７】４つの領域に分割したフィルムに付帯情報を配する場合の説明図である。
【図８】実施例２の領域を６つに分割した場合の付帯情報テンプレートデータの説明図である。
【図９】６つの領域に分割したフィルムに付帯情報を配する場合の説明図である。
【図１０】従来の付帯情報テンプレートデータの説明図である。
【図１１】従来の大きさが異なるフィルムに付帯情報をＸ線画像と共に配する場合の説明図である。
【符号の説明】
【００３９】
１１  コンピュータ
１２  ハードディスク
１３  ＣＰＵ
１４  メモリ
１５  Ｉ／Ｏ部
１６  キーボード
１７  ディスプレイ
１８  プリンタ
１９  ＭＯドライブ
【図１】
2005160799.tif 000003
【図２】
2005160799.tif 000004
【図３】
2005160799.tif 000005
【図４】
2005160799.tif 000006
【図６】
2005160799.tif 000007
【図７】
2005160799.tif 000008
【図８】
2005160799.tif 000009
【図９】
2005160799.tif 000010
【図１０】
2005160799.tif 000011
【図５】
2005160799.tif 000012
【図１１】
2005160799.tif 000013